(57)【特許請求の範囲】
【請求項１】
キー操作を行う操作部に表示するメニューまたはメッセージである表示オブジェクトおよび前記操作部において前記表示オブジェクト以外の領域である背景を表示する機器操作装置において、
前記表示オブジェクトの現在の表示色を示す現在表示オブジェクト色と、前記背景の現在の表示色を示す現在背景色とを記憶する現在表示色記憶手段と、
前記表示オブジェクトの新たな表示色を示す指定表示オブジェクト色を取得する表示オブジェクト色取得手段と、
前記表示オブジェクト色取得手段によって取得された前記指定表示オブジェクト色と前記現在表示色記憶手段に記憶された前記現在背景色とが同一の色であるか否かを比較する表示色比較手段と、
前記表示色比較手段によって前記指定表示オブジェクト色と前記現在表示色記憶手段に記憶された前記現在背景色とが同一の色であると判断された場合には、前記現在表示色記憶手段に前記現在背景色として前記現在表示オブジェクト色と同一の色を記憶し、前記現在表示オブジェクト色として前記指定表示オブジェクト色と同一の色を記憶する表示色変更手段と、
を備えることを特徴とする機器操作装置。
【請求項２】
前記表示色変更手段は、前記表示色比較手段によって前記指定表示オブジェクト色と前記現在表示色記憶手段に記憶された前記現在背景色とが同一の色でないと判断された場合には、前記現在表示色記憶手段に前記現在表示オブジェクト色として前記指定表示オブジェクト色と同一の色を記憶すること、を特徴とする請求項１に記載の機器操作装置。
【請求項３】
前記背景の新たな表示色を示す指定背景色を取得する背景色取得手段、をさらに備え、
前記表示色比較手段は、前記背景色取得手段によって取得された前記指定背景色と前記現在表示色記憶手段に記憶された前記現在表示オブジェクト色とが同一の色であるか否かを比較し、
前記表示色変更手段は、前記表示色比較手段によって前記指定背景色と前記現在表示色記憶手段に記憶された前記現在表示オブジェクト色とが同一であると判断された場合には、前記現在表示色記憶手段に前記現在表示オブジェクト色として前記現在背景色と同一の色を記憶し、前記現在背景色として前記指定背景色と同一の色を記憶すること、を特徴とする請求項１または請求項２に記載の機器操作装置。
【請求項４】
前記表示色変更手段は、前記表示色比較手段によって前記指定背景色と前記現在表示色記憶手段に記憶された前記現在表示オブジェクト色とが同一の色でないと判断された場合には、前記現在表示色記憶手段に前記現在背景色として前記背景色取得手段によって取得された前記指定背景色と同一の色を記憶すること、を特徴とする請求項３に記載の機器操作装置。
【請求項５】
前記表示色変更手段によって前記現在表示色記憶手段に前記現在表示オブジェクト色または前記現在背景色として赤色が記憶された場合に、朱色で表示する表示手段、をさらに備えることを特徴とする請求項１〜４のいずれか一つに記載の機器操作装置。
【請求項６】
前記表示色変更手段によって前記現在表示色記憶手段に前記現在表示オブジェクト色または前記現在背景色として緑色が記憶された場合に、青緑色で表示する表示手段、をさらに備えることを特徴とする請求項１〜４のいずれか一つに記載の機器操作装置。
【請求項７】
前記表示オブジェクト色取得手段によって前記指定表示オブジェクト色を取得した場合に、前記指定表示オブジェクト色についての音声案内を出力する音声出力手段、をさらに備えることを特徴とする請求項１〜６のいずれか一つに記載の機器操作装置。
【請求項８】
前記背景色取得手段によって前記指定背景色を取得した場合に、前記指定背景色についての音声案内を出力する音声出力手段、をさらに備えることを特徴とする請求項３〜６のいずれか一つに記載の機器操作装置。
【請求項９】
前記表示色変更手段によって前記現在表示オブジェクト色および前記現在背景色のうち少なくともいずれか一方が変更された場合には、変更内容を音声出力する音声出力手段、をさらに備えることを特徴とする請求項１〜６のいずれか一つに記載の機器操作装置。
【請求項１０】
前記表示色変更手段によって前記現在表示オブジェクト色および前記現在背景色の両方が変更された場合で、かつ、前記現在表示オブジェクト色が前記表示オブジェクト色取得手段によって取得された前記指定表示オブジェクト色に変更された場合には、前記現在表示オブジェクト色についての更新内容を、前記現在背景色についての更新内容より先に音声出力する音声出力手段、をさらに備えることを特徴とする請求項１〜６のいずれか一つに記載の機器操作装置。
【請求項１１】
前記表示色変更手段によって前記現在表示オブジェクト色および前記現在背景色の両方が変更された場合で、かつ、前記現在背景色が前記背景色取得手段によって取得された前記指定背景色に変更された場合には、前記現在背景色についての更新内容を、前記現在表示オブジェクト色についての更新内容より先に音声出力する音声出力手段、をさらに備えることを特徴とする請求項３〜６のいずれか一つに記載の機器操作装置。
【請求項１２】
前記表示オブジェクト色取得手段は、前記指定表示オブジェクト色についての音声案内を出力し、出力された前記音声案内に基づいて利用者が選択した前記指定表示オブジェクト色を取得すること、を特徴とする請求項１〜１１のいずれか一つに記載の機器操作装置。
【請求項１３】
前記背景色取得手段は、前記指定背景色についての音声案内を出力し、出力された前記音声案内に基づいて利用者が選択した前記指定背景色を取得すること、を特徴とする請求項３〜１２のいずれか一つに記載の機器操作装置。
【請求項１４】
キー操作を行う操作部に表示するメニューまたはメッセージである表示オブジェクトおよび前記操作部において前記表示オブジェクト以外の領域である背景を表示する機器操作装置において、
前記表示オブジェクトの現在の表示色を示す現在表示オブジェクト色と、前記背景の現在の表示色を示す現在背景色とを記憶する現在表示色記憶手段と、
前記背景の新たな表示色を示す指定背景色を取得する背景色取得手段と、
前記背景色取得手段によって取得された前記指定背景色と前記現在表示色記憶手段に記憶された前記現在表示オブジェクト色とが同一の色であるか否かを比較する表示色比較手段と、
前記表示色比較手段によって前記指定背景色と前記現在表示色記憶手段に記憶された前記現在表示オブジェクト色とが同一の色であると判断された場合には、前記現在表示色記憶手段に前記現在表示オブジェクト色として前記現在背景色と同一の色を記憶し、前記現在背景色として前記指定背景色と同一の色を記憶する表示色変更手段と、
を備えることを特徴とする機器操作装置。
【請求項１５】
キー操作を行う操作部に表示するメニューまたはメッセージである表示オブジェクトおよび前記操作部において前記表示オブジェクト以外の領域である背景を表示する機器操作装置において、
前記表示オブジェクトまたは前記背景の表示色を示す指定色と、前記指定色に対して判別しやすい色である対比色とを対応付けて記憶する対比色記憶手段と、
前記表示オブジェクトの新たな前記指定色を取得する表示オブジェクト色取得手段と、
前記表示オブジェクト色取得手段によって取得された前記指定色に対応付けて前記対比色記憶手段に記憶された前記対比色を特定する対比色決定手段と、
前記表示オブジェクトの表示色を前記表示オブジェクト色取得手段によって取得された前記指定色に変更し、前記背景の表示色を前記対比色決定手段によって決定された前記対比色に変更する表示色変更手段と、
を備えることを特徴とする機器操作装置。
【請求項１６】
前記背景の新たな前記指定色を取得する背景色取得手段、をさらに備え、
前記対比色決定手段は、前記背景色取得手段によって取得された前記指定色に対応付けて前記対比色記憶手段に記憶された前記対比色を特定し、
前記指定色変更手段は、前記背景の表示色を前記背景色取得手段によって取得された前記指定色に変更し、前記表示オブジェクトの表示色を前記対比色決定手段によって特定された前記対比色に変更すること、を特徴とする請求項１５に記載の機器操作装置。
【請求項１７】
前記対比色記憶手段において対応付けられている前記指定色と前記対比色が寒色系の色と暖色系の色との組合せであること、を特徴とする請求項１５または請求項１６に記載の機器操作装置。
【請求項１８】
画像形成に対する入力情報を受付ける機器操作装置を備え、前記機器操作装置によって受付けられた前記入力情報に従って画像形成を行う画像形成装置において、
前記機器操作装置は、
請求項１〜１７のいずれか一つの機器操作装置であることを特徴とする画像形成装置。
【請求項１９】
キー操作を行う操作部に表示するメニューまたはメッセージである表示オブジェクトおよび前記操作部において前記表示オブジェクト以外の領域である背景のうち少なくともいずれか一方の表示色を指定して表示する機器操作方法において、
前記表示オブジェクトの新たな表示色を示す指定表示オブジェクト色を取得する表示オブジェクト色取得ステップと、
前記表示オブジェクト色取得ステップによって取得された前記指定表示オブジェクト色と、前記表示オブジェクトの現在の表示色を示す現在表示オブジェクト色と前記現在の表示色を示す現在背景色とを記憶する現在表示色記憶手段に記憶された前記現在背景色とが同一であるか否かを比較する表示色比較ステップと、
前記表示色比較ステップによって前記指定表示オブジェクト色と前記現在表示色記憶手段に記憶された前記現在背景色とが同一の色であると判断された場合には、前記現在表示色記憶手段に前記現在背景色として前記現在表示オブジェクト色と同一の色を記憶し、前記現在表示オブジェクト色として前記指定表示オブジェクト色と同一の色を記憶する表示色変更ステップと、
を有することを特徴とする機器操作方法。
【請求項２０】
キー操作を行う操作部に表示するメニューまたはメッセージである表示オブジェクトおよび前記操作部において前記表示オブジェクト以外の領域である背景を表示する機器操作方法において、
前記背景の新たな表示色を示す指定背景色を取得する背景色取得ステップと、
前記背景色取得ステップによって取得された前記指定背景色と、前記表示オブジェクトの現在の表示色を示す現在表示オブジェクト色と、前記背景の現在の表示色を示す現在背景色とを記憶する現在表示色記憶手段に記憶された前記現在表示オブジェクト色とが同一の色であるか否かを比較する表示色比較ステップと、
前記表示色比較ステップによって前記指定背景色と前記現在表示色記憶手段に記憶された前記現在表示オブジェクト色とが同一の色であると判断された場合には、前記現在表示色記憶手段に前記現在表示オブジェクト色として前記現在背景色と同一の色を記憶し、前記現在背景色として前記指定背景色と同一の色を記憶する表示色変更ステップと、
を有することを特徴とする機器操作方法。
【請求項２１】
キー操作を行う操作部に表示するメニューまたはメッセージである表示オブジェクトおよび前記操作部において前記表示オブジェクト以外の領域である背景のうち少なくともいずれか一方の表示色を指定して表示する機器操作方法において、
前記表示オブジェクトの新たな前記表示オブジェクトまたは前記背景の表示色を示す指定色を取得する表示オブジェクト色取得ステップと、
前記表示オブジェクト色取得ステップによって取得された前記指定色に対応付けて、前記指定色と、前記指定色に対して判別しやすい色である対比色とを対応付けて記憶する対比色記憶手段に記憶された前記対比色を決定する対比色決定ステップと、
前記表示オブジェクトの表示色を前記表示オブジェクト色取得ステップによって取得された前記指定色に変更し、前記背景の表示色を前記対比色決定ステップによって決定された前記対比色に変更する表示色変更ステップと、
を有することを特徴とする機器操作方法。
【請求項２２】
前記背景の新たな前記指定色を取得する背景色取得ステップ、をさらに備え、
前記対比色決定ステップは、前記背景色取得ステップによって取得された前記指定色に対応付けて前記対比色記憶手段に記憶された前記対比色を特定し、
前記指定色変更ステップは、前記背景の表示色を前記背景色取得ステップによって取得された前記指定色に変更し、前記表示オブジェクトの表示色を前記対比色決定ステップによって特定された前記対比色に変更すること、を特徴とする請求項２１に記載の機器操作方法。
【請求項２３】
請求項１９〜２２のいずれか一つに記載された機器操作方法をコンピュータに実行させることを特徴とする機器操作プログラム。
【発明の詳細な説明】
【技術分野】
【０００１】
本発明は、機器操作装置、画像形成装置、機器操作方法、および機器操作プログラムに関するものである。
【背景技術】
【０００２】
従来、複写装置、ファクシミリ装置、プリンタ装置、スキャナ装置やそれらのＯＡ機器が提供する機能を１台に統合した複合機（ＭＦＰ：Multi-Functional Peripherals）の操作に対して、音声を使用した操作及び操作のガイダンスが行われる「非視覚モード」と、タッチパネルと液晶表示によって操作が行われる「視覚モード」とを有する機器操作装置並びに画像形成装置が公開されている（特許文献１参照）。かかる装置における「非視覚モード」は、機器の操作項目を機能グループ別に分類して、木構造メニューを作成し、このメニュー上の項目を、音声情報を手がかりにして選択させるものである。視覚に障害があるユーザはこの「非視覚モード」を用いることにより、ＭＦＰを操作することができる。
【０００３】
ところで、全盲でないユーザ（弱視、色盲など）にとっては、音声情報だけでなく、視覚情報も併用できることが望ましい。しかしながら、従来の操作装置に備えられた表示部に表示される文字は、比較的小さく、弱視のユーザにとっては視認性が低いという問題があった。この問題を解決するために、音声メッセージの内容を視覚メッセージでも表示できる画像形成装置が開示されている（特許文献２参照）。かかる画像形成装置では、文字サイズの拡大や、背景とのコントラスト強調を可能にすることにより、弱視のユーザに対する視認性を高めている。
【０００４】
さらに、画像入出力装置について、ユーザの操作に応答して文字色や背景色を選択し、表示部に表示される画像データを文字領域と背景領域とに分類し、各領域をユーザの操作に応答した色データに変換する技術が開示されている（特許文献３参照）。
【０００５】
【特許文献１】特開２００３−３２３０８１号公報
【特許文献２】特開２００５−４１０８１号公報
【特許文献３】特開２００５−２６９３３号公報
【発明の開示】
【発明が解決しようとする課題】
【０００６】
しかしながら、特許文献３に開示された画像入出力装置では、ユーザが文字色と背景色とを同じ色にあやまって選択してしまうと、文字メッセージを確認できなくなってしまうという問題があった。
【０００７】
また、たとえ同じ色を選択しなかったとしても、寒色系同士または暖色系同士を文字色と背景色に選択してしまうと、色盲のユーザには違いがわかりにくく、視認性を著しく低下させてしまうという問題があった。
【０００８】
本発明は、上記に鑑みてなされたものであって、ユーザの操作に対して視認性の高い表示を行える機器操作装置、画像形成装置、機器操作方法、および機器操作プログラムを提供することを目的とする。
【課題を解決するための手段】
【０００９】
上述した課題を解決し、目的を達成するために、請求項１にかかる発明は、キー操作を行う操作部に表示するメニューまたはメッセージである表示オブジェクトおよび前記操作部において前記表示オブジェクト以外の領域である背景を表示する機器操作装置において、前記表示オブジェクトの現在の表示色を示す現在表示オブジェクト色と、前記背景の現在の表示色を示す現在背景色とを記憶する現在表示色記憶手段と、前記表示オブジェクトの新たな表示色を示す指定表示オブジェクト色を取得する表示オブジェクト色取得手段と、前記表示オブジェクト色取得手段によって取得された前記指定表示オブジェクト色と前記現在表示色記憶手段に記憶された前記現在背景色とが同一の色であるか否かを比較する表示色比較手段と、前記表示色比較手段によって前記指定表示オブジェクト色と前記現在表示色記憶手段に記憶された前記現在背景色とが同一の色であると判断された場合には、前記現在表示色記憶手段に前記現在背景色として前記現在表示オブジェクト色と同一の色を記憶し、前記現在表示オブジェクト色として前記指定表示オブジェクト色と同一の色を記憶する表示色変更手段と、を備えることを特徴とする。
【００１０】
また、請求項２にかかる発明は、請求項１に記載の機器操作装置において、前記表示色変更手段は、前記表示色比較手段によって前記指定表示オブジェクト色と前記現在表示色記憶手段に記憶された前記現在背景色とが同一の色でないと判断された場合には、前記現在表示色記憶手段に前記現在表示オブジェクト色として前記指定表示オブジェクト色と同一の色を記憶すること、を特徴とする。
【００１１】
また、請求項３にかかる発明は、請求項１または請求項２に記載の機器操作装置において、前記背景の新たな表示色を示す指定背景色を取得する背景色取得手段、をさらに備え、前記表示色比較手段は、前記背景色取得手段によって取得された前記指定背景色と前記現在表示色記憶手段に記憶された前記現在表示オブジェクト色とが同一の色であるか否かを比較し、前記表示色変更手段は、前記表示色比較手段によって前記指定背景色と前記現在表示色記憶手段に記憶された前記現在表示オブジェクト色とが同一であると判断された場合には、前記現在表示色記憶手段に前記現在表示オブジェクト色として前記現在背景色と同一の色を記憶し、前記現在背景色として前記指定背景色と同一の色を記憶すること、を特徴とする。
【００１２】
また、請求項４にかかる発明は、請求項３に記載の機器操作装置において、前記表示色変更手段は、前記表示色比較手段によって前記指定背景色と前記現在表示色記憶手段に記憶された前記現在表示オブジェクト色とが同一の色でないと判断された場合には、前記現在表示色記憶手段に前記現在背景色として前記背景色取得手段によって取得された前記指定背景色と同一の色を記憶すること、を特徴とする。
【００１３】
また、請求項５にかかる発明は、請求項１〜４のいずれか一つに記載の機器操作装置において、前記表示色変更手段によって前記現在表示色記憶手段に前記現在表示オブジェクト色または前記現在背景色として赤色が記憶された場合に、朱色で表示する表示手段、をさらに備えることを特徴とする。
【００１４】
また、請求項６にかかる発明は、請求項１〜４のいずれか一つに記載の機器操作装置において、前記表示色変更手段によって前記現在表示色記憶手段に前記現在表示オブジェクト色または前記現在背景色として緑色が記憶された場合に、青緑色で表示する表示手段、をさらに備えることを特徴とする。
【００１５】
また、請求項７にかかる発明は、請求項１〜６のいずれか一つに記載の機器操作装置において、前記表示オブジェクト色取得手段によって前記指定表示オブジェクト色を取得した場合に、前記指定表示オブジェクト色についての音声案内を出力する音声出力手段、をさらに備えることを特徴とする。
【００１６】
また、請求項８にかかる発明は、請求項３〜６のいずれか一つに記載の機器操作装置において、前記背景色取得手段によって前記指定背景色を取得した場合に、前記指定背景色についての音声案内を出力する音声出力手段、をさらに備えることを特徴とする。
【００１７】
また、請求項９にかかる発明は、請求項１〜６のいずれか一つに記載の機器操作装置において、前記表示色変更手段によって前記現在表示オブジェクト色および前記現在背景色のうち少なくともいずれか一方が変更された場合には、変更内容を音声出力する音声出力手段、をさらに備えることを特徴とする。
【００１８】
また、請求項１０にかかる発明は、請求項１〜６のいずれか一つに記載の機器操作装置において、前記表示色変更手段によって前記現在表示オブジェクト色および前記現在背景色の両方が変更された場合で、かつ、前記現在表示オブジェクト色が前記表示オブジェクト色取得手段によって取得された前記指定表示オブジェクト色に変更された場合には、前記現在表示オブジェクト色についての更新内容を、前記現在背景色についての更新内容より先に音声出力する音声出力手段、をさらに備えることを特徴とする。
【００１９】
また、請求項１１にかかる発明は、請求項３〜６のいずれか一つに記載の機器操作装置において、前記表示色変更手段によって前記現在表示オブジェクト色および前記現在背景色の両方が変更された場合で、かつ、前記現在背景色が前記背景色取得手段によって取得された前記指定背景色に変更された場合には、前記現在背景色についての更新内容を、前記現在表示オブジェクト色についての更新内容より先に音声出力する音声出力手段、をさらに備えることを特徴とする。
【００２０】
また、請求項１２にかかる発明は、請求項１〜１１のいずれか一つに記載の機器操作装置において、前記表示オブジェクト色取得手段は、前記指定表示オブジェクト色についての音声案内を出力し、出力された前記音声案内に基づいて利用者が選択した前記指定表示オブジェクト色を取得すること、を特徴とする。
【００２１】
また、請求項１３にかかる発明は、請求項３〜１２のいずれか一つに記載の機器操作装置において、前記背景色取得手段は、前記指定背景色についての音声案内を出力し、出力された前記音声案内に基づいて利用者が選択した前記指定背景色を取得すること、を特徴とする。
【００２２】
また、請求項１４にかかる発明は、キー操作を行う操作部に表示するメニューまたはメッセージである表示オブジェクトおよび前記操作部において前記表示オブジェクト以外の領域である背景を表示する機器操作装置において、前記表示オブジェクトの現在の表示色を示す現在表示オブジェクト色と、前記背景の現在の表示色を示す現在背景色とを記憶する現在表示色記憶手段と、前記背景の新たな表示色を示す指定背景色を取得する背景色取得手段と、前記背景色取得手段によって取得された前記指定背景色と前記現在表示色記憶手段に記憶された前記現在表示オブジェクト色とが同一の色であるか否かを比較する表示色比較手段と、前記表示色比較手段によって前記指定背景色と前記現在表示色記憶手段に記憶された前記現在表示オブジェクト色とが同一の色であると判断された場合には、前記現在表示色記憶手段に前記現在表示オブジェクト色として前記現在背景色と同一の色を記憶し、前記現在背景色として前記指定背景色と同一の色を記憶する表示色変更手段と、を備えることを特徴とする。
【００２３】
また、請求項１５にかかる発明は、キー操作を行う操作部に表示するメニューまたはメッセージである表示オブジェクトおよび前記操作部において前記表示オブジェクト以外の領域である背景を表示する機器操作装置において、前記表示オブジェクトまたは前記背景の表示色を示す指定色と、前記指定色に対して判別しやすい色である対比色とを対応付けて記憶する対比色記憶手段と、前記表示オブジェクトの新たな前記指定色を取得する表示オブジェクト色取得手段と、前記表示オブジェクト色取得手段によって取得された前記指定色に対応付けて前記対比色記憶手段に記憶された前記対比色を特定する対比色決定手段と、前記表示オブジェクトの表示色を前記表示オブジェクト色取得手段によって取得された前記指定色に変更し、前記背景の表示色を前記対比色決定手段によって決定された前記対比色に変更する表示色変更手段と、を備えることを特徴とする。
【００２４】
また、請求項１６にかかる発明は、請求項１５に記載の機器操作装置において、前記背景の新たな前記指定色を取得する背景色取得手段、をさらに備え、前記対比色決定手段は、前記背景色取得手段によって取得された前記指定色に対応付けて前記対比色記憶手段に記憶された前記対比色を特定し、前記指定色変更手段は、前記背景の表示色を前記背景色取得手段によって取得された前記指定色に変更し、前記表示オブジェクトの表示色を前記対比色決定手段によって特定された前記対比色に変更すること、を特徴とする。
【００２５】
また、請求項１７にかかる発明は、請求項１５または請求項１６に記載の機器操作装置において、前記対比色記憶手段において対応付けられている前記指定色と前記対比色が寒色系の色と暖色系の色との組合せであること、を特徴とする。
【００２６】
また、請求項１８にかかる発明は、画像形成に対する入力情報を受付ける機器操作装置を備え、前記機器操作装置によって受付けられた前記入力情報に従って画像形成を行う画像形成装置において、前記機器操作装置は、請求項１〜１７のいずれか一つの機器操作装置であることを特徴とする。
【００２７】
また、請求項１９にかかる発明は、キー操作を行う操作部に表示するメニューまたはメッセージである表示オブジェクトおよび前記操作部において前記表示オブジェクト以外の領域である背景を表示する機器操作方法において、前記表示オブジェクトの新たな表示色を示す指定表示オブジェクト色を取得する表示オブジェクト色取得ステップと、前記表示オブジェクト色取得ステップによって取得された前記指定表示オブジェクト色と、前記表示オブジェクトの現在の表示色を示す現在表示オブジェクト色と前記現在の表示色を示す現在背景色とを記憶する現在表示色記憶手段に記憶された前記現在背景色とが同一であるか否かを比較する表示色比較ステップと、前記表示色比較ステップによって前記指定表示オブジェクト色と前記現在表示色記憶手段に記憶された前記現在背景色とが同一の色であると判断された場合には、前記現在表示色記憶手段に前記現在背景色として前記現在表示オブジェクト色と同一の色を記憶し、前記現在表示オブジェクト色として前記指定表示オブジェクト色と同一の色を記憶する表示色変更ステップと、を有することを特徴とする。
【００２８】
また、請求項２０にかかる発明は、キー操作を行う操作部に表示するメニューまたはメッセージである表示オブジェクトおよび前記操作部において前記表示オブジェクト以外の領域である背景を表示する機器操作方法において、前記背景の新たな表示色を示す指定背景色を取得する背景色取得ステップと、前記背景色取得ステップによって取得された前記指定背景色と、前記表示オブジェクトの現在の表示色を示す現在表示オブジェクト色と、前記背景の現在の表示色を示す現在背景色とを記憶する現在表示色記憶手段に記憶された前記現在表示オブジェクト色とが同一の色であるか否かを比較する表示色比較ステップと、前記表示色比較ステップによって前記指定背景色と前記現在表示色記憶手段に記憶された前記現在表示オブジェクト色とが同一の色であると判断された場合には、前記現在表示色記憶手段に前記現在表示オブジェクト色として前記現在背景色と同一の色を記憶し、前記現在背景色として前記指定背景色と同一の色を記憶する表示色変更ステップと、を有することを特徴とする。
【００２９】
また、請求項２１にかかる発明は、キー操作を行う操作部に表示するメニューまたはメッセージである表示オブジェクトおよび前記操作部において前記表示オブジェクト以外の領域である背景を表示する機器操作方法において、前記表示オブジェクトの新たな前記表示オブジェクトまたは前記背景の表示色を示す指定色を取得する表示オブジェクト色取得ステップと、前記表示オブジェクト色取得ステップによって取得された前記指定色に対応付けて、前記指定色と、前記指定色に対して判別しやすい色である対比色とを対応付けて記憶する対比色記憶手段に記憶された前記対比色を決定する対比色決定ステップと、前記表示オブジェクトの表示色を前記表示オブジェクト色取得ステップによって取得された前記指定色に変更し、前記背景の表示色を前記対比色決定ステップによって決定された前記対比色に変更する表示色変更ステップと、を有することを特徴とする。
【００３０】
また、請求項２２にかかる発明は、請求項２１に記載の機器操作方法において、前記背景の新たな前記指定色を取得する背景色取得ステップ、をさらに備え、前記対比色決定ステップは、前記背景色取得ステップによって取得された前記指定色に対応付けて前記対比色記憶手段に記憶された前記対比色を特定し、前記指定色変更ステップは、前記背景の表示色を前記背景色取得ステップによって取得された前記指定色に変更し、前記表示オブジェクトの表示色を前記対比色決定ステップによって特定された前記対比色に変更すること、を特徴とする。
【００３１】
また、請求項２３にかかる発明は、請求項１９〜２２のいずれか一つに記載された機器操作方法をコンピュータに実行させることを特徴とする。
【発明の効果】
【００３２】
請求項１にかかる発明によれば、表示オブジェクト色取得手段によって、表示オブジェクトの新たな表示色を示す指定表示オブジェクト色を取得し、表示色比較手段によって、表示オブジェクト色取得手段によって取得された指定表示オブジェクト色と現在表示色記憶手段に記憶された現在背景色とが同一の色であるか否かを比較し、表示色変更手段によって、表示色比較手段によって指定表示オブジェクト色と現在表示色記憶手段に記憶された現在背景色とが同一の色であると判断された場合には、現在表示色記憶手段に現在背景色として現在表示オブジェクト色と同一の色を記憶し、現在表示オブジェクト色として指定表示オブジェクト色と同一の色を記憶することにより、表示オブジェクト色に背景色と同一の色が設定されたとしても自動的に同一色にならないように設定されるため、確実に視認性を確保することができるという効果を奏する。
【００３３】
また、請求項２にかかる発明によれば、表示色変更手段は、表示色比較手段によって指定表示オブジェクト色と現在表示色記憶手段に記憶された現在背景色とが同一の色でないと判断された場合には、現在表示色記憶手段に現在表示オブジェクト色として指定表示オブジェクト色と同一の色を記憶することにより、表示オブジェクト色が背景色と同一でない場合にのみ操作者の指定した色に変更することができるため、視認性を確保した上で、操作者が見やすい色を設定することができるという効果を奏する。
【００３４】
また、請求項３にかかる発明によれば、背景色取得手段によって、背景の新たな表示色を示す指定背景色を取得し、表示色比較手段は、背景色取得手段によって取得された指定背景色と現在表示色記憶手段に記憶された現在表示オブジェクト色とが同一の色であるか否かを比較し、表示色変更手段は、表示色比較手段によって指定背景色と現在表示色記憶手段に記憶された現在表示オブジェクト色とが同一であると判断された場合には、現在表示色記憶手段に現在表示オブジェクト色として現在背景色と同一の色を記憶し、現在背景色として指定背景色と同一の色を記憶することにより、背景色に表示オブジェクト色と同一の色が設定されたとしても自動的に同一色にならないように設定されるため、確実に視認性を確保することができるという効果を奏する。
【００３５】
また、請求項４にかかる発明によれば、表示色変更手段は、表示色比較手段によって指定背景色と現在表示色記憶手段に記憶された現在表示オブジェクト色とが同一の色でないと判断された場合には、現在表示色記憶手段に現在背景色として背景色取得手段によって取得された指定背景色と同一の色を記憶することにより、背景色が表示オブジェト色と同一でない場合にのみ操作者の指定した色に変更することができるため、視認性を確保した上で、操作者が見やすい色を設定することができるという効果を奏する。
【００３６】
また、請求項５にかかる発明によれば、表示手段によって、表示色変更手段によって現在表示色記憶手段に現在表示オブジェクト色または現在背景色として赤色が記憶された場合に、朱色で表示することにより、赤色を高輝度でない赤色で表示する、すなわち波長の短い色で表示することができるため、第１色盲の操作者にとってメニューやメッセージが判別しやすいという効果を奏する。
【００３７】
また、請求項６にかかる発明によれば、表示手段によって、表示色変更手段によって現在表示色記憶手段に現在表示オブジェクト色または現在背景色として緑色が記憶された場合に、青緑色で表示することにより、赤緑色盲の操作者が緑を赤と区別して認識することができるため、赤緑色盲の操作者にとってメニューやメッセージが判別しやすいという効果を奏する。
【００３８】
また、請求項７にかかる発明によれば、音声出力手段によって、表示オブジェクト色取得手段によって指定表示オブジェクト色を取得した場合に、指定表示オブジェクト色についての音声案内を出力することにより、表示色の変更を音声で確認することができるため、視認しにくい表示色に変更された場合や弱視の操作者にとっても表示色を把握することができるという効果を奏する。
【００３９】
また、請求項８にかかる発明によれば、音声出力手段によって、背景色取得手段によって指定背景色を取得した場合に、指定背景色についての音声案内を出力することにより、表示色の変更を音声で確認することができるため、視認しにくい表示色に変更された場合や弱視の操作者にとっても表示色を把握することができるという効果を奏する。
【００４０】
また、請求項９にかかる発明によれば、音声出力手段によって、表示色変更手段によって現在表示オブジェクト色および現在背景色のうち少なくともいずれか一方が変更された場合には、変更内容を音声出力することにより、表示色の変更を音声で確認することができるため、視認しにくい表示色に変更された場合や弱視の操作者にとっても表示色を把握することができるという効果を奏する。
【００４１】
また、請求項１０にかかる発明によれば、音声出力手段によって、表示色変更手段によって現在表示オブジェクト色および現在背景色の両方が変更された場合で、かつ、現在表示オブジェクト色が表示オブジェクト色取得手段によって取得された指定表示オブジェクト色に変更された場合には、現在表示オブジェクト色についての更新内容を、現在背景色についての更新内容より先に音声出力することにより、表示オブジェクト色の変更を指示した場合には常に表示オブジェクト色が先に音声出力されるため、変更内容を容易に把握することができるという効果を奏する。
【００４２】
また、請求項１１にかかる発明によれば、音声出力手段によって、表示色変更手段によって現在表示オブジェクト色および現在背景色の両方が変更された場合で、かつ、現在背景色が背景色取得手段によって取得された指定背景色に変更された場合には、現在背景色についての更新内容を、現在表示オブジェクト色についての更新内容より先に音声出力することにより、背景色の変更を指示した場合には常に背景色が先に音声出力されるため、変更内容を容易に把握することができるという効果を奏する。
【００４３】
また、請求項１２にかかる発明によれば、表示オブジェクト色取得手段は、指定表示オブジェクト色についての音声案内を出力し、出力された音声案内に基づいて利用者が選択した指定表示オブジェクト色を取得することにより、音声によって表示オブジェクトの表示色を設定することができるため、現在の表示オブジェクトの表示色が判別しにくく、メニューやメッセージが判別しにくい場合であっても容易に表示色を変更することができるという効果を奏する。
【００４４】
また、請求項１３にかかる発明によれば、背景色取得手段は、指定背景色についての音声案内を出力し、出力された音声案内に基づいて利用者が選択した指定背景色を取得することにより、音声によって背景の表示色を設定することができるため、現在の背景の表示色が判別しにくく、メニューやメッセージが判別しにくい場合であっても容易に表示色を変更することができるという効果を奏する。
【００４５】
また、請求項１４にかかる発明によれば、背景色取得手段によって、背景の新たな表示色を示す指定背景色を取得し、表示色比較手段によって、背景色取得手段によって取得された指定背景色と現在表示色記憶手段に記憶された現在表示オブジェクト色とが同一の色であるか否かを比較し、表示色変更手段によって、表示色比較手段によって指定背景色と現在表示色記憶手段に記憶された現在表示オブジェクト色とが同一の色であると判断された場合には、現在表示色記憶手段に現在表示オブジェクト色として現在背景色と同一の色を記憶し、現在背景色として指定背景色と同一の色を記憶することにより、背景色に表示オブジェクト色と同一の色が設定されたとしても自動的に同一色にならないように設定されるため、確実に視認性を確保することができるという効果を奏する。
【００４６】
また、請求項１５にかかる発明によれば、表示オブジェクト色取得手段によって、表示オブジェクトの新たな前記指定色を取得し、対比色決定手段によって、表示オブジェクト色取得手段によって取得された指定色に対応付けて対比色記憶手段に記憶された対比色を決定し、表示色変更手段によって、表示オブジェクトの表示色を表示オブジェクト色取得手段によって取得された指定色に変更し、背景の表示色を対比色決定手段によって決定された対比色に変更することにより、変更した表示オブジェクトの表示色に対する対比色が背景の表示色として決定されるため、どのような操作者にとっても視認性の高いメニューやメッセージを表示することができるという効果を奏する。
【００４７】
また、請求項１６にかかる発明によれば、背景色取得手段によって、背景の新たな指定色を取得し、対比色決定手段は、背景色取得手段によって取得された指定色に対応付けて対比色記憶手段に記憶された対比色を特定し、指定色変更手段は、背景の表示色を背景色取得手段によって取得された指定色に変更し、表示オブジェクトの表示色を対比色決定手段によって特定された対比色に変更することにより、変更した背景の表示色に対する対比色が表示オブジェクトの表示色として決定されるため、どのような操作者にとっても視認性の高いメニューやメッセージを表示することができるという効果を奏する。
【００４８】
また、請求項１７にかかる発明によれば、対比色記憶手段において対応付けられている指定色と対比色が寒色系の色と暖色系の色との組合せであることにより、視認性の高い表示色の組合せであるため、どのような操作者にとっても視認性の高いメニューやメッセージを表示することができるという効果を奏する。
【００４９】
また、請求項１８にかかる発明によれば、機器操作装置は、請求項１〜１７のいずれか一つの機器操作装置であることにより、視認性の高い操作部が画像形成装置に適応されるため、どのような操作者にとっても視認性の高いメニューやメッセージを表示することができるという効果を奏する。
【００５０】
また、請求項１９にかかる発明によれば、表示オブジェクト色取得ステップによって、表示オブジェクトの新たな表示色を示す指定表示オブジェクト色を取得し、表示色比較ステップによって、表示オブジェクト色取得ステップによって取得された指定表示オブジェクト色と、表示オブジェクトの現在の表示色を示す現在表示オブジェクト色と現在の表示色を示す現在背景色とを記憶する現在表示色記憶手段に記憶された現在背景色とが同一であるか否かを比較し、表示色変更ステップによって、表示色比較ステップによって指定表示オブジェクト色と現在表示色記憶手段に記憶された現在背景色とが同一の色であると判断された場合には、現在表示色記憶手段に現在背景色として現在表示オブジェクト色と同一の色を記憶し、現在表示オブジェクト色として指定表示オブジェクト色と同一の色を記憶することにより、表示オブジェクト色に背景色と同一の色が設定されたとしても自動的に同一色にならないように設定されるため、確実に視認性を確保することができるという効果を奏する。
【００５１】
また、請求項２０にかかる発明によれば、背景色取得ステップによって、背景の新たな表示色を示す指定背景色を取得し、表示色比較ステップによって、背景色取得ステップによって取得された指定背景色と、表示オブジェクトの現在の表示色を示す現在表示オブジェクト色と、背景の現在の表示色を示す現在背景色とを記憶する現在表示色記憶手段に記憶された現在表示オブジェクト色とが同一の色であるか否かを比較し、表示色変更ステップによって、表示色比較ステップによって指定背景色と現在表示色記憶手段に記憶された現在表示オブジェクト色とが同一の色であると判断された場合には、現在表示色記憶手段に現在表示オブジェクト色として現在背景色と同一の色を記憶し、現在背景色として指定背景色と同一の色を記憶することにより、背景色に表示オブジェクト色と同一の色が設定されたとしても自動的に同一色にならないように設定されるため、確実に視認性を確保することができるという効果を奏する。
【００５２】
また、請求項２１にかかる発明によれば、表示オブジェクト色取得ステップによって、表示オブジェクトの新たな表示オブジェクトまたは背景の表示色を示す指定色を取得し、対比色決定ステップによって、表示オブジェクト色取得ステップによって取得された指定色に対応付けて、指定色と、指定色に対して判別しやすい色である対比色とを対応付けて記憶する対比色記憶手段に記憶された対比色を決定し、表示色変更ステップによって、表示オブジェクトの表示色を表示オブジェクト色取得ステップによって取得された指定色に変更し、背景の表示色を対比色決定ステップによって決定された対比色に変更することにより、変更した表示オブジェクトの表示色に対する対比色が背景の表示色として決定されるため、どのような操作者にとっても視認性の高いメニューやメッセージを表示することができるという効果を奏する。
【００５３】
また、請求項２２にかかる発明によれば、背景色取得ステップによって、背景の新たな指定色を取得し、対比色決定ステップは、背景色取得ステップによって取得された指定色に対応付けて対比色記憶手段に記憶された対比色を特定し、指定色変更ステップは、背景の表示色を背景色取得ステップによって取得された指定色に変更し、表示オブジェクトの表示色を対比色決定ステップによって特定された対比色に変更することにより、変更した背景の表示色に対する対比色が表示オブジェクトの表示色として決定されるため、どのような操作者にとっても視認性の高いメニューやメッセージを表示することができるという効果を奏する。
【００５４】
また、請求項２３にかかる発明によれば、請求項１９〜２２のいずれか一つに記載された機器操作方法をコンピュータに実行させることにより、請求項１９〜２２に記載された方法のそれぞれの効果を奏する。
【発明を実施するための最良の形態】
【００５５】
以下に添付図面を参照して、この発明にかかる、視認性の高いメニューおよびメッセージ表示を行う機器操作装置、当該機器操作装置を含む画像形成装置、機器操作方法、および機器操作プログラムの最良な実施の形態を詳細に説明する。
【００５６】
（第１の実施の形態）
第１の実施の形態について、添付図面を参照して説明する。まず、本発明が適用される機器操作装置を含む複合機の構成例について説明する。図１は、第１の実施の形態にかかる複合機の構成を示すブロック図である。なお、本発明にかかる機器操作装置は、複合機に限って適応されるものではなく、多様化した機能を有する装置であればよい。これらの装置では、同様の効果を期待することができる。
【００５７】
本実施の形態にかかる複合機１００は、ホスト（図示せず）と複合機１００を接続するためのホスト接続装置１０１、ＦＡＸ回線に接続するためのＦＡＸ回線用接続装置１０２、ＬＡＮ（Local Area Network）等のネットワークへ接続するためのネットワーク接続装置１０３、複合機１００の各種設定操作を行うための、本発明にかかる機器操作装置１０４、原稿台から画像をスキャンし画像データを作成するスキャナ装置１０５、作像装置や給排紙装置を備えたプリンタエンジン１０６、複合機全体の制御、プリンタ言語処理、ファクシミリ制御、スキャナ制御、音声出力制御、画像データ編集処理およびＭＦＰ操作に対する制御等を行う制御コントローラ１０７、ファクシミリ受信した画像データ、交信記録や各機能で使用した画像データを保存する記憶装置１０８、利用者の操作結果に応じて音および音声を出力するスピーカ、ヘッドフォン等の音出力装置１０９、利用者が発する操作指示の音声を入力する音声入力装置１１０と備える。
【００５８】
図２は、第１の実施の形態にかかる複合機に含まれる機器操作装置の構成を示すブロック図である。機器操作装置１０４は、表示部１０４１と、入力情報取得部１０４２と、音声情報取得部１０４３と、音声情報送出部１０４４と、メニュー項目記憶部１０４５と、表示色比較部１０４６と、表示色変更部１０４７と、現在表示色記憶部１０４８と、色情報データベース１０００と、出力情報データベース２０００とを備える。
【００５９】
現在表示色記憶部１０４８は、操作画面に表示される現在の表示オブジェクトの表示色と、現在の背景の表示色を記憶するものである。ここで、表示オブジェクトとは、文字や絵など視覚で認識できるもので構成される、複合機に対する操作を指示するためのメニューおよび操作結果や操作手順などを示すメッセージをいい、背景とは、表示オブジェクトが表示されている以外の画面領域をいう。現在表示色記憶部１０４８に記憶される現在の表示オブジェクトの表示色および現在の背景の表示色は、入力情報取得部１０４２によって表示オブジェクトの表示色または背景の表示色が取得された場合に格納される他、規定値として予め設定されていてもよい。
【００６０】
メニュー項目記憶部１０４５は、操作パネルに表示するメニューを格納するものである。図３は、操作パネル画面に表示されるメニューの一例を示す説明図である。メニューは、階層構造（木構造）となっており、表示オブジェクト色、背景色、文字サイズなどを選択すると、それぞれ下位のメニューが選択できるように構成されている。例えば、表示オブジェクト色を選択すれば、下位の“イエロー”、“レッド”、“シアン”、“マゼンタ”、“グリーン"、“ブルー”、“ブラック”、“ホワイト”を選択することができる。
【００６１】
表示部１０４１は、操作パネルにメニューやメッセージを表示するものである。操作パネルに表示するメニューやメッセージは、現在表示色記憶部１０４８に格納された現在の表示オブジェクトの表示色によって表示され、背景領域は現在表示色記憶部１０４８に格納された現在の背景の表示色によって表示される。
【００６２】
入力情報取得部１０４２は、操作パネルから入力された操作情報を取得するものである。入力情報取得部１０４２は、表示オブジェクト色取得部１０４２１と、背景色取得部１０４２２とを備える。表示オブジェクト色取得部１０４２１は、選択された表示オブジェクト色を取得し、背景色取得部１０４２２は、選択された背景色を取得する。
【００６３】
図４は、表示オブジェクト色および背景色を選択する場合の操作パネルの表示例である。操作パネルは、画面の表示オブジェクトの表示色を選択する領域（４１）と、画面の背景の表示色を選択する領域（４２）と、選択結果を表示する領域（４３）とを有している。選択可能なそれぞれの色について、表示色を選択するためのボタン（４４）と画面に表示される色を確認するための領域（４５）が表示される。
【００６４】
例えば、操作者が、操作パネルに“画面の文字の色”として表示された表示オブジェクト色から“ホワイト”（４６）を選択すると、入力情報取得部１０４２によって表示オブジェクト色“ホワイト”が取得される。選択結果を表示する領域に取得された表示オブジェクト色“ホワイト”で、確認のための文字が表示される（４３）。また、操作者が、操作パネルに“画面の背景の色”として表示された背景色から“ブラック”（４７）を選択すると、入力情報取得部１０４２によって背景色“ブラック”が取得される。選択結果を表示する領域に取得された背景色“ブラック”で、確認のための背景が表示される（４３）。
【００６５】
音声情報取得部１０４３は、操作者が発した音声を取得し、取得した音声の認識を行うものである。操作者が視覚によって入力を行なうことが困難な場合には、入力情報取得部１０４２によって操作パネルからの入力情報を取得することに換えて、または併用して音声情報取得部１０４３が取得した音声によって複合機を操作するものである。
【００６６】
音声情報送出部１０４４は、操作パネルから入力された結果や、音声情報取得部１０４３によって取得された結果の音声情報を音出力装置１０９に送出するものである。また、音声情報送出部１０４４は、操作者が視覚によって入力を行なうことが困難な場合には、表示部１０４１による操作パネル画面のメニュー表示に換えて、または併用して複合機を操作するための音声案内を送出するものである。また、音声情報送出部１０４４は、音声情報取得部１０４３によってメニューを選択する際には、メニュー項目記憶部１０４５に対応した音声案内が送出される。
【００６７】
表示色比較部１０４６は、入力情報取得部１０４２によって表示オブジェクト色が取得された場合には、取得された表示オブジェクト色と現在表示色記憶部１０４８に記憶されている背景色を比較して同一の色であるか否かを判断するものである。また、入力情報取得部１０４２によって背景色が取得された場合には、取得された背景色と現在表示色記憶部１０４８に記憶されている表示オブジェクト色を比較して同一であるか否かを判断するものである。
【００６８】
表示色変更部１０４７は、入力情報取得部１０４２によって取得された表示オブジェクト色または背景色に従って現在の表示オブジェクト色または背景色を変更するものである。すなわち、表示色変更部１０４７は、表示色比較部１０４６によって入力情報取得部１０４２で取得された表示オブジェクト色が、現在の背景色と同一であると判断された場合、現在の背景色を現在の表示オブジェクト色と同一の色とし、取得した表示オブジェクト色を現在の表示オブジェクト色とし、現在表示色記憶部１０４８に記憶するものである。また、表示色変更部１０４７は、表示色比較部１０４６によって入力情報取得部１０４２で取得された背景色が、現在の表示オブジェクト色と同一であると判断された場合、現在の表示オブジェクト色を現在の背景色と同一の色とし、取得した背景色を現在の背景色とし、現在表示色記憶部１０４８に記憶するものである。
【００６９】
色情報データベース１０００は、各色を操作画面で表示する場合のＲＧＢ値を規定する。図５は、色情報データベースのデータ構成の一例を示す説明図である。色情報データベース１０００は、色ＩＤとＲＧＢ値とを対応付けて記憶している。ここで、色ＩＤとは、表示色に対応するＩＤであり、例えば、“黄色”には、色ＩＤ“ＩＤ＿ＹＥＬＬＯＷ”が対応する。
【００７０】
表示色として“赤”が設定されている場合は、ＲＧＢ値としてＲ＝２１３、Ｇ＝９４、Ｂ＝０の値の色が表示される。つまり、一般的に表示される赤よりも黄色がかった赤色、すなわち朱色として表示される。一般的に表示される“赤”と比較して輝度を抑えることにより、第１色盲の操作者の視認性を高めることができる。また、表示色として“緑”が設定されている場合は、ＲＧＢ値としてＲ＝０、Ｇ＝１５８、Ｂ＝１１５の値の色が表示される。つまり、一般的に表示される緑色よりも青色がかった緑色、すなわち青緑色として表示される。これにより、一般的に表示される緑色と比較して、赤緑色盲の操作者の視認性を高めることができる。
【００７１】
出力情報データベース２０００は、表示オブジェクト色や背景色が変更された場合に音声出力する音声情報および操作パネルに表示する文字情報を規定する。図６−１、図６−２は、出力情報データベースのデータ構成の一例を示す説明図である。出力情報データベース２０００（図６−１）は、色ＩＤ、領域ＩＤ、指示番号を対応付けて記憶している。
ここで、領域ＩＤとは、対象領域を示すものであり、ＩＤ＿ＦＯＲＥＧＲＯＵＮＤは表示オブジェクトが表示される領域、ＩＤ＿ＢＡＣＫＧＲＯＵＮＤは背景領域を表すものである。指示番号とは、選択された色ＩＤおよび領域ＩＤに対応する出力情報を指定する番号である。出力情報データベース２０００（図６−２）は、指示番号と、表示文字と、音声ファイル名とを対応付けて記憶している。ここで、表示文字とは、操作パネルに表示するメッセージである。音声ファイル名とは、音声情報送出部１０４４によって送出される音声情報が格納されているファイル名である。図６−１、図６−２のデータベースは、本実施例のように２つに分けても、１つに統合してもよい。
【００７２】
次に、以上のように構成されている複合機による機器操作処理について説明する。図７−１、図７−２は、入力情報取得部、表示色比較部、表示色変更部、音声情報送出部、表示部が行う機器操作手順を示すフローチャートである。
【００７３】
入力情報取得部１０４２は、表示オブジェクト（または背景）の新たな表示色を取得する（ステップＳ７０１）。ここで、入力情報取得部１０４２によって取得された表示色が表示される領域である表示オブジェクトまたは背景を対象領域という。表示色比較部１０４６は、入力情報取得部１０４２から取得した表示色と現在表示色記憶部１０４８に記憶されている現在の対象領域外の表示色を比較する（ステップＳ７０２）。具体的には、入力情報取得部１０４２で表示オブジェクトの表示色を取得した場合には、取得した表示オブジェクトの表示色と、現在表示色記憶部１０４８に記憶されている背景の表示色とを比較する。また、入力情報取得部１０４２で背景の表示色を取得した場合には、取得した背景の表示色と、現在表示色記憶部１０４８に記憶されている表示オブジェクトの表示色とを比較する。
【００７４】
例えば、現在の表示オブジェクトの表示色が“ホワイト”で、背景の表示色が“ブラック”の場合で、入力情報取得部１０４２から表示オブジェクトの表示色として“ブラック”が取得された場合には、表示オブジェクトの表示色“ブラック”と、現在の背景の表示色“ブラック”が比較される。
【００７５】
取得した表示色と現在の対象領域外の表示色が同一の色であると判断した場合には（ステップＳ７０３：Ｙｅｓ）、表示色変更部１０４７は取得した表示色の種別を判断する（ステップＳ７０４）。取得した表示色の種別が表示オブジェクトであると判断した場合には（ステップＳ７０４：表示オブジェクト）、表示色変更部１０４７は現在表示色記憶部１０４８の現在の背景色に、現在表示色記憶部１０４８の表示オブジェクト色と同一の色を記憶する（ステップＳ７０５）。表示色変更部１０４７は、現在表示色記憶部１０４８の現在の表示オブジェクト色に、入力情報取得部１０４２で取得した表示色を記憶する（ステップＳ７０６）。
【００７６】
例えば、上述の場合には、現在の背景の表示色に現在の表示オブジェクトの表示色である“ホワイト”を記憶し、現在の表示オブジェクトの表示色に入力情報取得部１０４２で取得した“ブラック”を記憶することになる。
【００７７】
これにより、表示オブジェクト色に現在の背景色と同一の色を選択した場合でも、表示オブジェクトと背景が同一の色で表示されることはなく、視認性を確保することができる。
【００７８】
ステップＳ７０４において、取得した表示色の種別が背景であると判断した場合には（ステップＳ７０４：背景）、表示色変更部１０４７は現在表示色記憶部１０４８の現在の表示オブジェクト色に、現在表示色記憶部１０４８の背景色と同一の色を記憶する（ステップＳ７０７）。表示色変更部１０４７は、現在表示色記憶部１０４８の現在の背景色に、入力情報取得部１０４２で取得した表示色を記憶する（ステップＳ７０８）。
【００７９】
これにより、背景色に現在の表示オブジェクト色と同一の色を選択した場合でも、表示オブジェクトと背景が同一の色で表示されることはなく、視認性を確保することができる。
【００８０】
表示部１０４１は、表示オブジェクト色が変更されたことを表示する（ステップＳ７０９）。具体的には、図６−１において変更された表示色の色ＩＤと、変更された領域ＩＤから指示番号が検索され、図６−２において指定番号により表示文字が検索され、表示される。例えば、表示オブジェクト色が“ブラック”に変更された場合には、図６−１において、色ＩＤが“ＩＤ＿ＢＬＡＣＫ”、領域ＩＤが“ＩＤ＿ＦＯＲＥＧＲＯＵＮＤ”となり、指示番号は“７”となる。図６−２において、指示番号“７”から、表示文字“文字色をブラックにしました”が検索され、表示される。
【００８１】
音声情報送出部１０４４は、表示オブジェクト色が変更された旨の音声情報を送出する（ステップＳ７１０）。具体的には、図６−１において、変更された表示色の色ＩＤと、変更された領域ＩＤから指示番号を取得し、図６−２において指示番号に対応する音声ファイルを取得し、音声メッセージを送出するものである。例えば、表示オブジェクト色が“ブラック”に変更された場合には、図６−１において、色ＩＤが“ＩＤ＿ＢＬＡＣＫ”、領域ＩＤが“ＩＤ＿ＦＯＲＥＧＲＯＵＮＤ”となり、指示番号は“７”となる。図６−２において、指示番号“７”から、音声ファイル名“ｗ００１．ｗａｖ，ｗ００９．ｗａｖ，ｗ０１１．ｗａｖ”が選択され、音声メッセージ“文字色をブラックにしました”が送出される。
【００８２】
表示部１０４１は、背景色が変更されたことを表示する（ステップＳ７１１）。具体的には、図６−１において指示番号が検索され、図６−２において指定番号から表示文字が検索され、表示される。例えば、背景色が“ホワイト”に変更された場合には、図６−１において、色ＩＤが“ＩＤ＿ＷＨＩＴＥ”、領域ＩＤが“ＩＤ＿ＢＡＣＫＧＲＯＵＮＤ”となり、指示番号は“１６”となる。図６−２において、指示番号“１６”から、表示文字“背景色をホワイトにしました”が検索され、表示される。
【００８３】
音声情報送出部１０４４は、背景色が変更された旨の音声情報を送出する（ステップＳ７１２）。例えば、背景色が“ホワイト”に変更された場合には、図６−１において、色ＩＤが“ＩＤ＿ＷＨＩＴＥ”、領域ＩＤが“ＩＤ＿ＢＡＣＫＧＲＯＵＮＤ”となり、指示番号は“１６”となる。図６−２において、指示番号“１６”から、音声ファイル名“ｗ００２．ｗａｖ，ｗ０１０．ｗａｖ，ｗ０１１．ｗａｖ”が選択され、音声メッセージ“背景色をホワイトにしました”が送出される。
【００８４】
なお、上述の場合には、取得した表示色が表示オブジェクト色の場合であり、取得した表示色が背景色の場合には、背景色が変更されたことを表示し、音声出力した後に、表示オブジェクト色が変更されたことを表示し、音声出力することとなる。
【００８５】
ステップＳ７０３において、表示色比較部１０４６は取得した表示色と現在の対象領域外の表示色が同一の色でないと判断した場合には（ステップＳ７０３：Ｎｏ）、表示色変更部１０４７は現在の表示オブジェクト色（または背景色）に入力情報取得部１０４２によって取得した表示色を記憶する（ステップＳ７１３）。表示部１０４１は、表示オブジェクト色（または背景色）が変更されたことを表示する（ステップＳ７１４）。音声情報送出部１０４４は、表示オブジェクト色（または背景色）が変更された旨の音声情報を送出する（ステップＳ７１５）。
【００８６】
表示部１０４１は、現在表示色記憶部１０４８に記憶された現在の表示オブジェクト色または現在の背景色でメニューおよびメッセージを表示する（ステップＳ７１６）。
【００８７】
なお、表示オブジェクト色または背景色を選択する際には、表示部１０４１による画面表示に換えてまたは画面表示とともに、音声案内に従って表示オブジェクト色または背景色を選択してもよい。また、上述した機器操作装置は、音出力装置１０９を含む構成にしてもよい。
【００８８】
このように、表示オブジェクト色と背景色とに同一の色が設定されたとしても自動的に同一色にならないように設定されるため、確実に視認性を確保することができる。
【００８９】
本実施の形態の機器操作装置は、複合機の一部として構成される他、ＣＰＵなどの制御装置と、ＲＯＭ（Read Only Memory）やＲＡＭなどの記憶装置と、ＨＤＤ、ＣＤドライブ装置などの外部記憶装置と、ディスプレイ装置などの表示装置と、キーボードやマウスなどの入力装置を備えており、通常のコンピュータを利用したハードウェア構成としてもよい。
【００９０】
本実施の形態の機器操作装置で実行される機器操作プログラムは、上述した各部（入力情報取得部、表示色比較部、表示色変更部、音声情報送出部など）を含むモジュール構成となっており、実際のハードウェアとしてはＣＰＵ（プロセッサ）が上記記憶媒体から機器操作プログラムを読み出して実行することにより上記各部が主記憶装置上にロードされ、入力情報取得部、表示色比較部、表示色変更部、音声情報送出部などが主記憶装置上に生成されるようになっている。
【００９１】
また、本実施の形態の機器操作装置で実行される機器操作プログラムを、インターネット等のネットワークに接続されたコンピュータ上に格納し、ネットワーク経由でダウンロードさせることにより提供するように構成してもよい。また、本実施の形態の機器操作装置で実行される機器操作プログラムをインターネット等のネットワーク経由で提供または配布するように構成してもよい。
【００９２】
本実施の形態の機器操作装置で実行される機器操作プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記憶媒体に記録されて提供される。
【００９３】
また、本実施の形態の機器操作プログラムを、ＲＯＭ等に予め組み込んで提供するように構成してもよい。
【００９４】
また、本発明は上述した実施の形態に限定されるものではない。以下に他の実施の形態として、第２の実施の形態を説明する。
【００９５】
（第２の実施の形態）
第２の実施の形態について、添付図面を参照して説明する。本発明が適用される機器操作装置を含む複合機の構成例について説明する。本実施の形態にかかる複合機は、第１の実施の形態にかかる複合機１００において機器操作装置１０４に換えて機器操作装置２０４を備えるものである。本実施の形態では、第１の実施の形態と異なる部分である機器操作装置２０４について説明する。図８は、第２の実施の形態にかかる機器操作装置の構成を示すブロック図である。
【００９６】
本実施の形態にかかる機器操作装置２０４は、表示部１０４１と、入力情報取得部１０４２と、音声情報取得部１０４３と、音声情報送出部１０４４と、メニュー項目記憶部１０４５と、対比色決定部２０４６と、表示色変更部２０４７と、現在表示色記憶部１０４８と、色情報データベース１０００と、出力情報データベース２０００と、対比色データベース３０００とを備えている。
【００９７】
ここで、表示部１０４１と、入力情報取得部１０４２と、音声情報取得部１０４３と、音声情報送出部１０４４と、メニュー項目記憶部１０４５と、現在表示色記憶部１０４８と、色情報データベース１０００と、出力情報データベース２０００の構成、機能は、第１の実施の形態と同様であるので、説明を省略する。
【００９８】
対比色データベース３０００は、指定された表示色に対応する対比色を規定する。図９は、対比色データベースのデータ構成の一例を示す説明図である。対比色データベース３０００は、指定色ＩＤと、対比色ＩＤとを対応付けて記憶している。ここで、対比色とは、指定された表示色に対応して操作パネルに表示された場合に視認性が高くなる色をいう。例えば、寒色系の表示色に対応して暖色系の対比色、暖色系の表示色に対応して寒色系の対比色を規定してもよい。
【００９９】
対比色決定部２０４６は、入力情報取得部１０４２から取得された表示オブジェクト（または背景）の表示色に対応する対比色を対比色データベース３０００から取得するものである。
【０１００】
表示色変更部２０４７は、入力情報取得部１０４２から取得された表示オブジェクト色または背景色と、対比色決定部２０４６によって決定された対比色を背景色または表示オブジェクト色として現在表示色記憶部１０４８に記憶するものである。
【０１０１】
次に、以上のように構成されている機器操作装置による機器操作処理について説明する。図１０は、入力情報取得部、対比色決定部、表示色変更部、音声情報送出部、表示部が行う機器操作手順を示すフローチャートである。
【０１０２】
入力情報取得部１０４２は、表示オブジェクトまたは背景の新たな表示色を取得する（ステップＳ１００１）。ここで、入力情報取得部１０４２において取得された新たな表示色が表示される領域である表示オブジェクトまたは背景を対象領域という。対比色決定部２０４６は、取得した表示色に対応する対比色を対比色データベース３０００から決定する（ステップＳ１００２）。表示色変更部２０４７は、入力情報取得部１０４２によって取得された表示色を対象領域の現在の表示色として現在表示色記憶部１０４８に記憶する（ステップＳ１００３）。
【０１０３】
表示色変更部２０４７は、対比色決定部２０４６によって決定された対比色を対象領域外の表示色として現在表示色記憶部１０４８に記憶する（ステップＳ１００４）。表示部１０４１は、対象領域および対象領域外の表示色が変更されたことを表示する（ステップＳ１００５）。音声情報送出部１０４４は、対象領域の表示色が変更された旨の音声情報を送出する（ステップＳ１００６）。音声情報送出部１０４４は、対象領域外の表示色が変更された旨の音声情報を送出する（ステップＳ１００７）。表示部１０４１は、現在表示色記憶部１０４８に記憶された現在の表示オブジェクト色および現在の背景色でメニューおよびメッセージを表示する（ステップＳ１００８）。
【０１０４】
このように、変更した表示オブジェクトまたは背景の表示色に対する対比色が背景または表示オブジェクトの表示色として決定されるため、どのような操作者にとっても視認性の高いメニューやメッセージを表示することができる。
【図面の簡単な説明】
【０１０５】
【図１】第１の実施の形態にかかる複合機の構成を示すブロック図である。
【図２】第１の実施の形態にかかる複合機に含まれる機器操作装置の構成を示すブロック図である。
【図３】操作パネル画面に表示されるメニューの一例を示す説明図である。
【図４】表示オブジェクト色および背景色を選択する場合の操作パネルの表示例を示す図である。
【図５】色情報データベースのデータ構成の一例を示す説明図である。
【図６−１】出力情報データベースのデータ構成の一例を示す説明図である。
【図６−２】出力情報データベースのデータ構成の一例を示す説明図である。
【図７−１】入力情報取得部、表示色比較部、表示色変更部、音声情報送出部、表示部が行う機器操作手順を示すフローチャートである。
【図７−２】入力情報取得部、表示色比較部、表示色変更部、音声情報送出部、表示部が行う機器操作手順を示すフローチャートである。
【図８】第２の実施の形態にかかる機器操作装置の構成を示すブロック図である。
【図９】対比色データベースのデータ構成の一例を示す説明図である。
【図１０】入力情報取得部、対比色決定部、表示色変更部、音声情報送出部、表示部が行う機器操作手順を示すフローチャートである。
【符号の説明】
【０１０６】
１００  複合機
１０１  ホスト接続装置
１０２  ＦＡＸ回線用接続装置
１０３  ネットワーク接続装置
１０４  ２０４  機器操作装置
１０５  スキャナ装置
１０６  プリンタエンジン
１０７  制御コントローラ
１０８  記憶装置
１０９  音出力装置
１１０  音声入力装置
１０４１  表示部
１０４２  入力情報取得部
１０４２１  表示オブジェクト色取得部
１０４２２  背景色取得部
１０４３  音声情報取得部
１０４４  音声情報送出部
１０４５  メニュー項目記憶部
１０４６  表示色比較部
１０４７  ２０４７  表示色変更部
１０４８  現在表示色記憶部
２０４６  対比色決定部
１０００  色情報データベース
２０００  出力情報データベース
３０００  対比色データベース
【図１】
0004704146.tif 000002
【図２】
0004704146.tif 000003
【図３】
0004704146.tif 000004
【図４】
0004704146.tif 000005
【図５】
0004704146.tif 000006
【図６−１】
0004704146.tif 000007
【図６−２】
0004704146.tif 000008
【図７−１】
0004704146.tif 000009
【図７−２】
0004704146.tif 000010
【図８】
0004704146.tif 000011
【図９】
0004704146.tif 000012
【図１０】
0004704146.tif 000013